(57)【要約】【課題】  本発明は、電球形照明ランプを載置面に置いた際に、電球形照明ランプの転がりを抑制し、安定して静止状態を維持することを目的とする。【解決手段】  本発明に係る電球形照明ランプ２は、円筒状の筐体部６と、筐体部６の一方の筒端部に載置される光源部８を覆って、筒端部の開口縁部が接続されるカバー５と、筐体部６の他方の筒端部に接続される口金部７と、筐体部６の筒周部外表面の一部に設けられ、載置面と接触する第１平面部と、を備えることを特徴とする。【選択図】          図３
2015053200.tif 000002
【特許請求の範囲】
【請求項１】
円筒状の筐体部と、
前記筐体部の一方の筒端部に載置される光源部を覆って、前記筒端部に開口縁部が接続されるカバーと、
前記筐体部の他方の筒端部に接続される口金部と、
前記筐体部の筒周部外表面の一部に設けられ、載置面と接触する第１の平面部と、
を備えることを特徴とする照明ランプ。
【請求項２】
前記一方の筒端部の筒周部外表面の一点と前記他方の筒端部の筒周部外表面の一点とを繋ぐ直線が、前記平面の中心線となることを特徴とする請求項１に記載の照明ランプ。
【請求項３】
前記載置面は略水平な面であって、
前記第１の平面部と前記載置面とが接触されるとき、重心が、前記第１の平面部を含む前記第１の平面部を上方に延伸させた領域内にあること、を特徴とする請求項１、２のいずれかに記載の照明ランプ。
【請求項４】
前記筐体部は、
前記光源部の光源を点灯させる点灯装置が内部に収容される筒状の樹脂筐体と、
前記光源部が前記一方の筒端部に載置されるとともに、前記樹脂筐体が収容される筒状の金属筐体と、を有し、
前記第１の平面部は、前記金属筐体の筒周部外表面の一部に設けられること、を特徴とする請求項１乃至３のいずれかに記載の照明ランプ。
【請求項５】
前記筐体部は、
前記樹脂筐体の筒周部外表面の一部に第２の平面部を有し、前記金属筐体の筒周部内表面の一部に、前記第２の平面部と当接する第３の平面部を有すること、を特徴とする請求項１乃至４のいずれかに記載の照明ランプ。
【請求項６】
前記筐体部は、
前記第１の平面部と前記第２平面部とが、前記金属筐体を挟んで対向していること、を特徴とする請求項１乃至５のいずれかに記載の照明ランプ。
【請求項７】
前記筐体部、前記口金部及び前記カバーは、
前記第１の平面部を拡張した平面部より、前記照明ランプの中心軸側に配設されていること、を特徴とする請求項１乃至６のいずれかに記載の照明ランプ。
【請求項８】
前記光源はＬＥＤであることを特徴とする請求項１乃至７のいずれかに記載の照明ランプ。
【請求項９】
前記光源部はレーザーダイオードであることを特徴とする請求項１乃至７のいずれかに記載の照明ランプ。
【請求項１０】
前記光源部は有機ＥＬであることを特徴とする請求項１乃至７のいずれかに記載の照明ランプ。
【請求項１１】
請求項１乃至１０のいずれかに記載の照明ランプを備えたことを特徴とする照明装置。
【発明の詳細な説明】
【技術分野】
【０００１】
本発明は、照明ランプに関し、特に転がり防止構造を備えた電球形照明ランプに関する。
【背景技術】
【０００２】
電球形照明ランプの多くは、従来の一般電球の代替として使用できるように、円筒形状の筐体と、筐体の一端部に設けられる球状ないし略半球状のグローブと、筐体の他端部に設けられる口金と、を備えた構成となっている。このため、電球形ランプの取り付け又は取り外し作業の際に、電球形照明ランプを一時的にテーブル、床面等の載置面に置いた場合に、載置面の僅かな傾きなどによって電球形照明ランプが転がることが想定され、作業の妨げとなっていた。さらに、載置面が高所にある場合には、電球形照明ランプが転がることで落下し、電球形照明ランプを損傷させてしまう恐れがあった。
【０００３】
これらの問題を解決する手段として、特許文献１には、放電管をグローブで覆った形状の電球形蛍光ランプにおいて、転がり防止手段としてグローブの表面の一部に一または複数個の平面部を設けた構造が開示されている。このグローブに平面部を設けた電球形蛍光ランプを、平面部を下にして平らな面に置くことで、電球形蛍光ランプが転がることを防止している。
【先行技術文献】
【特許文献】
【０００４】
【特許文献１】特開２００９−１３５１２０号公報
【発明の概要】
【発明が解決しようとする課題】
【０００５】
特許文献１に記載の放電管を備えた電球形蛍光ランプは、グローブが外郭部全体の大部分を占めるのに対し、電球形ＬＥＤランプは、点灯回路基板等を筐体内部に収容する必要があるため、グローブが外郭部全体の大部分を占める構成とならない場合がある。このような電球形ＬＥＤランプは、グローブに平面部を設けて、平面部を下にして、安定して静止状態を維持するように載置面に置くことは困難である。
【０００６】
本発明は、上記を鑑みてなされたものであり、グローブが外郭部全体の大部分を占める構成とならない電球形照明ランプを載置面に置いた際に、電球形照明ランプの転がりを抑制し、安定して静止状態を維持することを目的とする。
【課題を解決するための手段】
【０００７】
本発明の一の態様に係る電球形照明ランプは、円筒状の筐体部と、筐体部の一方の筒端部に載置される光源部を覆って、筒端部の開口縁部が接続されるカバーと、前記筐体部の他方の筒端部に接続される口金部と、前記筐体部の筒周部外表面の一部に設けられ、載置面と接触する第１平面部と、を備える。
【発明の効果】
【０００８】
本発明の一の態様に係る電球形照明ランプは、電球形照明ランプを構成する金属筐体に平面部を設けたことで、平面部を下にして載置面に置くことができるため、電球形照明ランプの転がりを抑制することが出来る。
【図面の簡単な説明】
【０００９】
【図１】本発明に係る電球形照明ランプを備えた照明装置を壁面に取り付けた図。
【図２】本発明の実施の形態１に係る電球形照明ランプの分解斜視図。
【図３】本発明の実施の形態１に係る電球形照明ランプの構成を説明する図。
【図４】本発明の実施の形態１に係る電球形照明ランプを載置面に載置した図。
【図５】図４のＣ−Ｃ断面図。
【図６】本発明の実施の形態１に係る電球形照明ランプの第１の変形例を示す図。
【図７】本発明の実施の形態１に係る電球形照明ランプの第２の変形例を示す図。
【図８】本発明の実施の形態２に係る電球形照明ランプの分解斜視図。
【図９】本発明の実施の形態２に係る電球形照明ランプの構成を説明する図。
【発明を実施するための形態】
【００１０】
実施の形態１．
本発明の実施の形態１に係る電球形照明ランプ及びそれを備えた照明装置について図面を参照して説明する。なお、以下に示す図面の形態によって本発明が限定されるものではない。図１は本発明に係る電球形照明ランプを備えた照明装置を壁面に取り付けた図であり、図２は本発明の実施の形態１に係る電球形照明ランプの分解斜視図である。
【００１１】
図１に示すように、照明装置１は、電球形照明ランプ２、電球形照明ランプ２を内包する器具本体３１と、電球形照明ランプ２の口金部７が取り付けられるソケット３と、器具本体３１内に取り付けられ電球形照明ランプ２から出射された光を反射させるリフレクタ４と、を備えている。照明装置１は、天井などの壁面３２に形成された開口部に挿入され、壁面３２側から室内を照射する照明装置であり、電球形照明ランプ２から出射された光は、リフレクタ４で反射され、室内を広範囲に照射することができる。電球形照明ランプ２は、このような壁面取付形の照明装置１の他、例えば、卓上に載置される照明装置にも取り付けが可能である。
【００１２】
図２に示すように、電球形照明ランプ２は、光源部８と、透光性を有し光源部８を覆うカバー５と、光源部８を駆動させる点灯装置１２や配線等を収納可能な筐体部６と、ソケット３に接続可能な口金部７と、を備えた照明ランプである。
【００１３】
光源部８は、発光体である１つまたは複数の発光ダイオード（Ｌｉｇｈｔ  Ｅｍｉｔｔｉｎｇ  Ｄｉｏｄｅ。以下「ＬＥＤ」という）素子９と、ＬＥＤ素子９が実装されるＬＥＤ基板１０と、を備えている。光源は、ＬＥＤの他にレーザーダイオード（Ｌａｓｅｒ  Ｄｉｏｄｅ）、有機ＥＬ（Ｏｒｇａｎｉｃ  Ｅｌｅｃｔｒｏ−Ｌｕｍｉｎｅｓｃｅｎｃｅ）などを用いることができる。ＬＥＤ基板１０は円板形状をしており、板面が照明ランプ２の軸方向と直交するように配置されている。ＬＥＤ基板１０には、複数のＬＥＤ素子９がＬＥＤ基板１０の外周と同心の円周上に実装されている。ＬＥＤ基板１０の形状や寸法、ＬＥＤ素子９の個数や配置位置等は、照明ランプ２の設計仕様に応じて適宜決定される。光源部８には、ＬＥＤ素子９及びＬＥＤ基板１０の他、点灯装置１２と電気的に接続されて駆動電力を点灯装置１２から光源部８に伝達するワイヤーハーネスやコネクタなどの配線部材（図示せず）、及び照明ランプ２の設計仕様に応じて必要となる電子部品などが含まれる。光源部８は、両面テープ１５等の接着部材を用いて金属筐体６ｂ（後述）の光源部取り付け面１７に取り付けられる。また、両面テープ１５等の接着部材には、光源部８と点灯回路基部１２を接続する配線を通すための開口が設けられている。なお、光源部８のＬＥＤ基板１０にはねじ通過穴（図示せず）を設け、このねじ通過穴と金属筐体６ｂ（後述）の光源部取付け面１７に設けられたねじ通過穴１１とを貫通して樹脂筐体６ａ（後述）に設けられたねじ固定部１８にねじ込まれるねじ３３を用いて、光源部取り付け面１７に取り付けられてもよい。
【００１４】
カバー５は、ＬＥＤ素子９から出射した光を透過する素材（例えばガラスや樹脂等）で構成され、ＬＥＤ素子９の光の出射側を覆うように金属筐体６ｂ（後述）に取り付けられている。カバー５を樹脂で構成した場合は、例えばポリカーボネートやアクリル等が製品仕様に応じて用いられる。カバー５の外形は曲面形状（本実施の形態では、半球面形状）であり、ＬＥＤ素子９から出射した光を透過させる機能と、光を拡散、集光、反射させる機能を併せ持つ。
【００１５】
筐体部６は、内部に点灯装置１２を収納できる樹脂筐体６ａと、樹脂筐体６ａの外周を覆うように取り付けられる金属筐体６ｂとを備える。樹脂筐体６ａは、アクリルやポリカーボネートなどの樹脂素材やセラミック等により形成される。樹脂筐体６ａは円筒形状をしており、円筒形状の外周に金属筐体６ｂを取り付け可能な金属筐体取り付け部６ａｂと、円筒形状の外周に口金部７を取り付け可能な口金取り付け部６ａａで構成される。樹脂筐体６ａの内部に形成されている空間には点灯装置１２が挿入される。そして、樹脂筐体６ａの開口部には配線筒部１６ａを有する樹脂蓋１６が挿入される。また、樹脂筐体６ａには、樹脂筐体６ａと金属筐体６ｂとをねじ３３を用いて相互に締結するためのねじ固定部１８が設けられている。なお、点灯回路基板１３の樹脂筐体６ａの内面と当接する部分を除いて、樹脂筐体６ａの内面と点灯回路基板１３及び点灯回路部品１４との間に所定の空間を設け、点灯回路基板１３及び点灯回路部品１４には機械的応力が加わらないように配置されるのが好ましい。
【００１６】
口金部７は樹脂筐体６ａの口金取り付け部６ａａの外周に取り付けられ、ソケット３（図１参照）に接続可能な構造を有している。口金部７は、照明装置１経由で商用電力を照明ランプ２に入力する入力端となる。すなわち、商用電力は口金部７を介して点灯装置１２に供給される。
【００１７】
金属筐体６ｂは、放熱性能の高い例えばアルミニウム等の金属材料で構成され、外形形状は円錐形の頂点側を底面と平行な面で切り落とした（略円筒形状である）形状をなしている。そして、底面が光源部８を取り付け可能な光源部取り付け面１７となる。さらに、金属筐体６ｂは、底面と対向する面側の内部がくり抜かれた凹形状をなしている。また、金属筐体６ｂの周部外側表面（以下、単に外表面ともいう）は、光源部取り付け面１７側から凹部の開口端側に向かって徐々に径が小さくなる円錐状のテーパ面で形成される。
【００１８】
金属筐体６ｂの凹部には開口側から樹脂筐体６ａの金属筐体取り付け部６ａｂが挿入される。樹脂筐体６ａが金属筐体６ｂに挿入され、樹脂筐体６ａと金属筐体６ｂとで形成される空間Ａに点灯装置１２が収納される。金属筐体６ｂの光源部取り付け面１７には、樹脂筐体６ａの内部に収納された点灯装置１２と光源部８とを電気的に接続するための配線材等を通過させる配線通過穴１９が設けられている。さらに、金属筐体６ｂの光源部取り付け面１７にはねじ通過穴１１が所定の間隔で（ねじ固定部１８に対応する位置に）設けられている。ねじ３３は金属筐体６ｂのねじ通過穴１１を通過させ樹脂筐体６ａのねじ固定部１８にねじこむことで、樹脂筐体６ａと金属筐体６ｂを固定することができる。
【００１９】
また、点灯装置１２と金属筐体６ｂの間に樹脂蓋１６を設けてもよく、空間Ａ内に点灯装置１２を収納した際に、点灯装置１２が挿入方向にぐらつくことを抑制できる。この場合、樹脂蓋１６は、樹脂筐体６ａの光源部８側の開口側から挿入され、樹脂蓋１６の配線筒部１６ａは、金属筐体６ｂの光源部取り付け面１７に設けられた配線通過穴１９に嵌合する。金属筐体６ｂの光源部取り付け面１７側には、カバー５が取り付けられる。このように、カバー５、筐体部６（樹脂筐体６ａ、金属筐体６ｂ）及び口金部７は、全体として電球形の外形をなしている。なお、金属筐体６ｂは略円筒形状をしていると記載したが、円筒形状をしていてもよい。
【００２０】
点灯装置１２は、点灯回路基板１３に点灯回路部品１４を実装して構成される。点灯装置１２は、点灯回路部品１４によって構成され、商用電源である交流からＬＥＤ素子９を駆動する直流に変換するＡＣ−ＤＣコンバータ回路を有する。点灯装置１２は、口金部７から入力された商用電力を、ＬＥＤ素子９を駆動する駆動電力に変換し、変換された駆動電力をＬＥＤ素子９に供給する。好ましくは、点灯装置１２は、ＬＥＤ素子９を安定駆動するために、負荷変動の検出機能、負荷変動に応じてＡＣ−ＤＣコンバータ回路から出力される駆動電流を制御する制御機能、及び商用電力の供給経路を介して流入または流出するノイズを除去または低減するフィルタ機能等をさらに有する。
【００２１】
次に、図３を参照して、本発明の実施の形態１に係る金属筐体６ｂの詳細な外形について説明する。図３は本発明の実施の形態１に係る電球形照明ランプの構成を示す図である。図３（ａ）は金属筐体に平面部を形成した電球形照明ランプの正面外観図であり、図３（ｂ）は図３（ａ）を矢印Ａ側から見た側面外観図、図３（ｃ）は図３（ａ）のＢ−Ｂ断面図である。
【００２２】
通常、放熱性能を向上させる目的や、意匠性の観点から、金属筐体の外表面は中心軸から外側に向かって若干膨らんだ形状をなしているが、本実施の形態１に係る金属筐体６ｂは金属筐体６ｂの外側に向かって膨らんだ外表面の一部に平面部２０を形成したものである。
【００２３】
図３（ａ）及び図３（ｂ）に示すように、平面部２０は金属筐体６ｂのカバー５側端部である第１端部２１と、金属筐体６ｂの口金部７側端部である第２端部２２を繋ぐ直線Ｃが中心線となる平面部である。直線Ｃは第１端部２１と第２端部２２を繋いでいるため平面部２０の長辺方向（以下「Ｙ方向」と記載）に伸びている。また、平面部２０の短辺方向（以下「Ｘ方向」と記載）の長さ寸法はＹ方向の長さ寸法に比例するため、Ｙ方向の長さ寸法が大きくなるほどＸ方向の長さ寸法も大きくなる。よって、第１端部２１と第２端部２２を繋いだ直線Ｃの長さはＹ方向で設定し得る最大の長さ寸法であるため、図３（ａ）に示した平面部２０が金属筐体６ｂに形成できる平面として最大の面積となる。平面部２０の面積を大きくすることにより載置面に載置した際の接触面積が大きくなるため、安定して静止状態を維持するように作用し、電球形照明ランプ２の転がりを抑制することができる。
【００２４】
上記のように、平面部２０の面積が最大になる場合において、平面部２０と載置面とを面接触させることによって、電球形照明ランプ２の転がりを抑制することができる。そのため、図３（ｂ）に示すように、平面部２０を拡張した平面部Ｄより電球形照明ランプ２の外側の領域に、電球形照明ランプ２の外郭部を構成する要素（口金部７、樹脂筐体６ａ、金属筐体６ｂ及びグローブ５等）が配設されないようにする。すなわち、電球形照明ランプ２の構成要素のいずれもが平面部Ｄよりも電球形照明ランプ２の中心軸Ｏ側に配設される。
【００２５】
なお、図３に示した平面部２０は、第１端部２１と第２端部２２とを繋ぐ直線Ｃを中心線とする平面部であるが、これに限定されるものではない。すなわち、平面部２０は最大面積に限らず、載置面に載置されて転がりを抑制するために必要な面積が確保されていればよい。
【００２６】
上述したように、金属筐体６ｂの外形表面は光源部取り付け面１７から凹部の開口に向けて徐々に径が小さくなる円錐状のテーパ面で形成されている。このため、金属筐体６ｂの凹部に樹脂筐体６ａが挿入された筐体部６は略円筒形状をしており、筐体部６の断面形状は図３（c）に示すような略円形形状である。また、一般的に円筒形状の物体は中心軸を回転軸として平面上を転がるため、図３（ｃ）に示すように電球形照明ランプ２を、平面部２０を下にして載置面に置いた際の転がり易さは、特に平面部２０のＸ方向の長さに依存する。図３（ａ）に示すように、電球形照明ランプ２の長さ方向をＬ方向、径方向をＷ方向とすると、Ｌ方向の最大長さとＷ方向の最大長さの比が約２対１である電球形照明ランプ２において、平面部２０のＸ方向の長さは、少なくとも金属筐体６ｂの最大径の２０％以上であることが好ましく、すなわち、平面部２０のＸ方向の長さを金属筐体６ｂの最大径の２０％以上に設定されていると、電球形照明ランプ２は載置面に置いた際に転がり難い。
【００２７】
図４及び図５を参照して、本発明の実施の形態１に係る電球形照明ランプの転がりを抑制する構成について説明する。図４は、本発明の実施の形態１に係る電球形照明ランプを載置面に載置した図である。図５は、図４のＣ−Ｃ断面図である。
図４に示すように、本発明の実施の形態１に係る電球形照明ランプ２は、平面部２０を下にして、平面部２０と載置面とが面接触するように載置面に載置されると、電球形照明ランプ２が安定して静止状態を維持するように作用し、電球形照明ランプ２の転がりを抑制することができる。
【００２８】
さらに、電球形照明ランプ２の外郭部全体の大部分は筐体部６で構成され、筐体部６の内部には点灯装置１２が収容されている。そして、筐体部６（樹脂筐体６ａ、金属筐体６ｂ）や点灯装置１２は、いずれも電球形照明ランプ２の質量の大部分を占める構成要素でもある。このため、電球形照明ランプ２の重心（質量中心）は筐体部６内に位置する。図５に示すように、電球形照明ランプ２の平面部２０を下にして、平面部２０と載置面とが面接触するように電球形照明ランプ２を載置面に載置した際に、電球形照明ランプ２の重心が、平面部２０を含む平面部２０の上方の領域である領域Ｅの範囲内に位置するように平面部２０を形成されることによって、電球形照明ランプ２がさらに安定して静止状態を維持するように作用し、電球形照明ランプ２の転がりをさらに抑制することができる。
【００２９】
また、電球形照明ランプ２の重心は、樹脂筐体６ａに収納される点灯装置１２や点灯回路部品１４の配置を適宜調整することによって、平面部２０側に遷移させることができる。これにより、電球形照明ランプ２がさらに安定して静止状態を維持するように作用し、電球形照明ランプ２の転がりをさらに抑制することができる。
【００３０】
次に、図６、７を参照して、本発明の実施の形態１に係る電球形照明ランプの２つの変形例について説明する。
図６は、本発明の実施の形態１に係る電球形照明ランプの第１の変形例を示す図である。図６（ａ）は金属筐体に平面部を形成した電球形照明ランプの正面外観図、図６（ｂ）は金属筐体に平面部を形成した電球形照明ランプの側面外観図。
【００３１】
実施の形態１において、放熱性能を向上させる目的や、意匠性の観点から、外表面が中心軸から外側に向かって若干膨らんだ形状をなしている金属筐体を用いた構成を説明したが、第１の変形例に用いる金属筐体は、外表面が電球形照明ランプ２の中心軸Ｏから外側に向かって膨らんでいない点と、膨らんでいない部分の一部に平面部２０ａを形成した点とが異なるものである。
【００３２】
図６（ａ）及び図６（ｂ）に示すように、樹脂筐体３４の錘状部３４ａは、一部が電球形照明ランプ２の中心軸Ｏ側に切り欠かれ、錘状部３４ａの外表面は、その一部が中心軸Ｏ側に後退して形成されている。
平面部２０ａは金属筐体６ｂのカバー５側端部である第１端部２１ａと、金属筐体６ｂの口金部７側端部である第２端部２２ａを繋ぐ直線Ｃが中心線となる平面部である。直線Ｃは第１端部２１ａと第２端部２２ａを繋いでいるため平面部２０ａの長辺方向（以下「Ｙ方向」と記載）に伸びている。また、平面部２０ａの短辺方向（以下「Ｘ方向」と記載）の長さ寸法はＹ方向の長さ寸法に比例するため、Ｙ方向の長さ寸法が大きくなるほどＸ方向の長さ寸法も大きくなる。よって、第１端部２１と第２端部２２ａを繋いだ直線Ｃの長さ寸法はＹ方向で設定し得る最大の長さ寸法であるため、図６（ａ）に示した平面部２０ａが金属筐体６ｂに形成できる平面として最大の面積となる。平面部２０ａの面積を大きくすることにより載置面に載置した際の接触面積が大きくなるため、安定して静止状態を維持するように作用し、電球形照明ランプ２の転がりを抑制することができる。
【００３３】
図７は、本発明の実施の形態１に係る電球形照明ランプの第２の変形例を示す図である。図７（ａ）は、本発明の実施の形態１に係る電球形照明ランプの第２の変形例の斜視図であり、図７（ｂ）は、載置面に載置された、本発明の実施の形態１に係る電球形照明ランプの第２の変形例を示した図である。
【００３４】
上述した本実施の形態１に係る電球形照明ランプ２の金属筐体６ｂの外表面は、光源部取り付け面１７側から凹部の開口端側に向かって徐々に径が小さくなる円錐状のテーパ面で形成されおり、表面は平坦な曲面をなしているが、本発明は、図７に示すように、筐体部の外表面に放熱フィンを有する電球形照明ランプにも応用が可能である。
例えば、図７（ａ）に示すように、第２の変形例における金属筐体３５の外表面には、複数の放熱フィン２３が所定の高さを有して所定の間隔で形成されている。ここで、形成される放熱フィン２３の数や高さ及び相互の間隔は、発熱量や製品サイズなどの設計仕様に応じて決定されるものである。また、放熱フィン２３は金属筐体３５と一体に成形されたものであってもよく、また、別々に成形された放熱フィン２３と金属筐体３５とが一体的に締結されたものであってもよい。
【００３５】
この場合において、隣接して形成される放熱フィン２３をそれぞれ、放熱フィン２３ａ、放熱フィン２３ｂ、放熱フィン２３ｃとすると、３つのフィンの中央に形成されている放熱フィン２３ｂのフィンの高さ寸法を両側に隣接する放熱フィン２３ａ、２３ｃよりも小さく設定することで、放熱フィン２３ａ、２３ｂ、２３ｃで仮想の平面部２０ｂを構成することができる。また、放熱フィン２３ｂが形成されなくても（放熱フィン２３ａ、２３ｃによって）同様に仮想の平面部２０ｂを構成することができる。図７（ｂ）に示すように、放熱フィン２３を備えた電球形照明ランプ２の仮想の平面部２０ｂを下にして、仮想の平面部２０ｂと載置面とが仮想面接触するように載置面に載置されると、電球形照明ランプ２が安定して静止状態を維持するように作用し、電球形照明ランプ２の転がりを抑制することができる。
【００３６】
以上のように、本発明に係る電球形照明ランプ２は、電球形照明ランプ２を構成する金属筐体６ｂに平面部２０、２０ａ又は仮想の平面部２０ｂを設けたことにより、平面部２０、２０ａ又は仮想の平面部２０ｂを下にして、平面部２０、２０ａ又は仮想の平面部２０ｂと載置面とが面接触又は仮想面接触するように載置面に載置されると、電球形照明ランプ２の転がりを抑制することが出来る。
【００３７】
実施の形態２．
本発明の実施の形態２に係る電球形照明ランプ及びそれを備えた照明装置について図８及び図９を参照して説明する。なお、実施の形態２の説明では、実施の形態１との相違点を中心に説明し、実施の形態１と同じ構成については同じ符号を用いる。
図８は本発明の実施の形態２に係る電球形照明ランプの分解斜視図である。図８（ａ）は全体の構成を示す分解斜視図であり、図８（ｂ）は樹脂筐体の拡大斜視図である。図９は本発明の実施の形態２に係る電球形照明ランプの構成を説明する図である。
本発明の実施の形態１に係る電球形照明ランプ２は、金属筐体６ｂの外表面に平面部２０を設けたものであるのに対して、本発明の実施の形態２に係る電球形照明ランプ２ａは、金属筐体の外表面に平面部を設けるとともに、金属筐体の周部内表面（以下、単に内表面ともいう）と樹脂筐体の周部外表面に平面部を設けたものである。
【００３８】
実施の形態２に係る樹脂筐体２４の金属筐体取り付け部２４ａは、実施の形態１に係る樹脂筐体６ａの金属筐体取り付け部６ａｂの形状が変更されたものである。図８（ｂ）に示すように、実施の形態２に係る金属筐体取り付け部２４ａは円筒状の周部の一部に樹脂筐体平面部２５を有しており、その断面形状は所謂蒲鉾形状をなしている。また、図９（ｂ）、（ｃ）に示すように、金属筐体２６の凹部の内表面は、樹脂筐体２４を金属筐体２６の凹部に挿入した際に、樹脂筐体２４の金属筐体取り付け部２４ａの外周部と当接可能な形状に形成されている。なお、実施の形態２に係る電球形照明ランプ２ａの外観形状は実施の形態１に係る電球形照明ランプ２と同じである。
【００３９】
次に、電球形照明ランプ２ａを構成する樹脂筐体２４と金属筐体２６との配置について図９を用いて詳細に説明する、図９は本発明の実施の形態２に係る電球形照明ランプの構成を説明する図である。図９（ａ）は金属筐体に平面部を形成した電球形照明ランプ２ａの正面外観図であり、図９（ｂ）は図８（ａ）のＡ−Ａ断面図、図９（ｃ）は図９（ａ）のＢ−Ｂ断面図である。
【００４０】
図９（ａ）及び図９（ｂ）に示すように、平面部２０ａａは金属筐体２６のグローブ５側端部である第１端部２１と、金属筐体２６の口金部７側端部である第２端部２２を繋ぐ直線Ｃが中心線となる平面部である。図９（ｂ）及び図９（ｃ）に示すように、樹脂筐体２４には樹脂筐体平面部２５が設けられており、樹脂筐体２４の外形の一部である樹脂筐体平面部２５は中心軸Ｏ側に遷移し、樹脂筐体平面部２５が中心軸Ｏ側に遷移した領域は金属筐体２６の領域となる。すなわち、樹脂筐体２４の一部が中心軸側に遷移した部分は金属筐体２６の厚さ寸法が大きくなる。さらに、図９（ｃ）に示すように、平面部２０ａａと樹脂筐体平面部２５が対向して重なる位置関係にある。平面部２０ａａと樹脂筐体平面部２５との間の領域は、比重の大きい金属筐体２６が大きな厚さ寸法を有して配される領域となるため、電球形照明ランプ２ａの重心は平面部２０ａａ側に遷移する。
【００４１】
以上のように、実施に形態２に係る電球形照明ランプ２ａは、実施の形態１に係る電球形照明ランプ２と比較して、転がりを抑制するより大きな効果を得ることが出来る。なお、図９（ｃ）では、平面部２０ａａと樹脂筐体平面部２５は対向して重なる位置に形成されているが、これに限定されず、樹脂筐体２４の金属筐体取り付け部２４ａの形状は、電球形照明ランプ２ａの重心を平面部２０ａａ側に遷移し得る形状であれば転がりを抑制する効果を得ることができる。すなわち、一平面で構成される樹脂筐体平面部２５に代えて、曲面を含む複数の面で構成される形状としてもよい。また、図９（ｃ）では、平面部２０ａａと樹脂筐体平面部２５は、完全に重なる位置としているが、一部が重なる位置であっても、転がりを抑制する効果を得ることができる。
【００４２】
さらに、実施に形態２に係る電球形照明ランプ２ａは、金属筐体２６の領域が増加させることができるので、電球照明ランプ２ａの外形寸法を変えることなく全体の熱容量を増加させることができる。これによって、ＬＥＤ素子９や点灯回路部品１４の動作信頼性を向上させることができ、すなわち電球照明ランプ２ａの製品品質を向上させることができる。
【００４３】
そして、金属筐体取り付け部２４ａの樹脂筐体平面部２５は、樹脂筐体２４を金属筐体２６の凹部に挿入する組み立て作業時における挿入ガイドの機能を有し、樹脂筐体２４を金属筐体２６の凹部に挿入した後の、樹脂筐体２４と金属筐体２６との回転方向の位置決め及び相互の回動を規制する機能を有するという効果も得ることができる。
【００４４】
以上、本発明の実施の形態を、電球形照明ランプ（電球形ＬＥＤランプ）を例示して説明したが、本発明は照明ランプの形態を限定するものではない。
【符号の説明】
【００４５】
１  照明装置、２  電球形照明ランプ（電球形ＬＥＤランプ）、２ａ  電球形照明ランプ（電球形ＬＥＤランプ）、３  ソケット、４  リフレクタ、５  カバー、６  筐体部、６ａ  樹脂筐体、６ａａ  口金取り付け部、６ａｂ  金属筐体取り付け部、６ｂ  金属筐体、６ｃ  金属筐体、７  口金部、８  光源部、９  ＬＥＤ素子、１０  ＬＥＤ基板、１１  ねじ通過穴、１２  点灯装置、１３  点灯回路基板、１４  点灯回路部品、１５  両面テープ、１６  樹脂蓋、１６ａ  配線筒部、１７  光源部取り付け面、１８  ねじ固定部、１９  配線通過穴、２０  平面部、２０ａ  平面部、２０ｂ  （仮想の）平面部、２０ａａ  平面部、２１  第１端部、２１ａ  第１端部  ２２  第２端部、２２ａ  第２端部、  ２３  放熱フィン、２３ａ  放熱フィン、２３ｂ  放熱フィン、２３ｃ  放熱フィン、２４  樹脂筐体、２４ａ  金属筐体取り付け部、２４ｂ  口金取り付け部、２５  樹脂筐体平面部、２６  金属筐体、３１  器具本体、３２  壁面、３３  ねじ、３４  樹脂筐体、３４ａ  錘状部、３５  金属筐体
【図１】
2015053200.tif 000003
【図２】
2015053200.tif 000004
【図３】
2015053200.tif 000005
【図４】
2015053200.tif 000006
【図５】
2015053200.tif 000007
【図６】
2015053200.tif 000008
【図７】
2015053200.tif 000009
【図８】
2015053200.tif 000010
【図９】
2015053200.tif 000011